(57)【特許請求の範囲】
【請求項１】
横方向に平行に延びる係止凹溝を有する設置枠を備え、上下に位置する係止凹溝の間に掲示プレートが挟まれて取り付けられる安全掲示板であって、
前記掲示プレートは、設置環境において変化する情報を表示する変化情報掲示プレートを含み、
前記変化情報掲示プレートは、前後方向に一定の厚さを有し前記変化する情報をＬＥＤを用いて表示する表示部を有するプレート本体部と、前記プレート本体部の上下に設けられ前後方向の厚さが前記プレート本体部の厚さより小さく前記設置枠の係止凹溝に嵌まり込む係合板部とを備え、
前記プレート本体部は、前記変化する情報を検出する検出手段と、前記検出手段よりの信号を受け前記表示部に前記変化する情報を表示させる表示制御手段とを有することを特徴とする安全掲示板。
【請求項２】
前記表示部は、前記変化する情報である、設置環境における気温を表示する温度表示部であり、
前記検出手段は、気温を検出する温度センサーであり、
前記表示制御手段は、前記温度センサーよりの信号を受け前記温度表示部に前記気温をデジタル表示させるものである、請求項１に記載の安全掲示板。
【請求項３】
前記表示部は、前記変化する情報である、設置してからの経過時間あるいは残り作業時間を表示する時間表示部であり、
前記検出手段は、時間を計測する時計手段であり、
前記表示制御手段は、前記時計手段よりの信号を受け前記時間表示部に前記経過時間あるいは残り作業時間をデジタル表示させるものである、請求項１に記載の安全掲示板。
【請求項４】
前記表示部は、変化する情報である、設置環境における熱中症リスクを表示する熱中症リスク表示部であり、
前記検出手段は、時間を計測する時計手段と、気温を検出する温度センサーと、湿度を検出する湿度センサーとであり、
さらに、前記時計手段、温度センサーおよび湿度センサーよりの信号を受け、一定時間経過ごとに熱中症指数を演算する指数演算手段と、前記指数演算手段よりの信号を受け、熱中症指数に基づき熱中症リスクを判定する熱中症リスク判定手段とを備え、
前記表示制御手段は、前記熱中症リスク判定手段よりの信号を受け、前記熱中症リスク表示部に前記熱中症リスクを表示させるものである、請求項１に記載の安全掲示板。
【請求項５】
前記熱中症リスク表示部は、前記熱中症リスクの段階を、ＬＥＤが発光する色によって表示するものであり、
前記表示制御手段は、前記熱中症リスクに応じて、ＬＥＤが発光する色を変更するものである、請求項４に記載の安全掲示板。
【請求項６】
前記プレート本体部は、さらに、アラームと、前記時計手段および前記指数演算手段よりの信号を受け前記一定時間経過ごとに熱中症リスクがある場合に熱中症リスク継続時間として前記一定時間を加算する継続時間カウント手段と、前記継続時間カウント手段よりの信号を受け、熱中症リスク継続時間が設定値以上になったときに前記アラームにより報知するアラーム鳴動手段とを有する、請求項５に記載の安全掲示板。
【請求項７】
前記係合板部は、前記プレート本体部の前面側において上下に突出するように設けられている、請求項１〜６のいずれか１つに記載の安全掲示板。
【請求項８】
前記係合板部は、前記プレート本体部の背面側において上下に突出するように設けられている、請求項１〜６のいずれか１つに記載の安全掲示板。
【請求項９】
前記プレート本体部は、外側部分がＦＲＰ製である請求項１〜８のいずれか１つに記載の安全掲示板。
【請求項１０】
横方向に平行に延びる係止凹溝を有する設置枠を備える安全掲示板に用いられ、設置環境において変化する情報を表示する変化情報掲示プレートであって、
前後方向に一定の厚さを有しＬＥＤを用いて表示する表示部を有するプレート本体部と、前記プレート本体部の上下に設けられ前後方向の厚さが前記プレート本体部の厚さより小さく前記設置枠の係止凹溝に嵌まり込む係合板部とを備え、
前記プレート本体部は、前記変化する情報を検出する検出手段と、前記検出手段よりの信号を受け前記表示部に前記変化する情報を表示させる表示制御手段とを有することを特徴とする変化情報掲示プレート。
【発明の詳細な説明】
【技術分野】
【０００１】
本発明は、工事現場などにおいて、作業者などの義務的事項や教育事項および安全管理上の伝達事項などを表示する安全掲示板およびそれに用いる掲示プレートに関する。
【背景技術】
【０００２】
工事現場などでは、作業者などの義務的事項や教育事項および安全管理上の伝達事項などを表示する安全掲示板が設置されるのが一般的である。このような安全掲示板は、複数の縦桁や複数の横桁が縦横に設けられてなる設置枠に、作業主任者一覧、無災害記録表、安全目標、作業スケジュール、知らせなどを記載した矩形板状の掲示プレートが取り付けられている。
【０００３】
このような掲示プレートは、一定の大きさを有し、前記設置枠が備える、横方向に延びる上下の係止凹溝に前記掲示プレートの上下縁部を差し込んで、取り付けることで安全掲示板を製作するようになっている。
【０００４】
そのような安全掲示板として、コンパクトな格納状態にすることができ、設置、撤収作業が容易で、簡単に掲示プレートを装着することができる掲示板が提案されている（特許文献１参照）。
【０００５】
また、容易に持ち運びできるように、可撓性のあるシートから作製されたシート製安全掲示板も提案されている（特許文献２参照）。
【０００６】
さらに、地球温暖化に伴い、熱中症が多発しつつあり、その対策が求められていることから、その対策の一環として、暑さ指数（ＷＢＧＴ）に基づく熱中症リスクを含めて、温度、湿度をリアルタイムで表示する装置が知られている（特許文献３参照）。
【先行技術文献】
【特許文献】
【０００７】
【特許文献１】特許第３９３１０６２号
【特許文献２】実用新案登録第３１５６７２９号
【特許文献３】実用新案登録第３１８８２８５号
【発明の概要】
【発明が解決しようとする課題】
【０００８】
前記特許文献１および特許文献２に開示されているような従来の安全掲示板は手書きで情報を記入する運用となっており、気温、経過作業時間、残り作業時間、熱中症リスクなどの情報を記入することが考えられる。
【０００９】
しかしながら、気温、設置してからの経過作業時間、残り作業時間、熱中症リスクなどの情報は、時々刻々と絶えず変化するものであり、人手での記入による情報の更新が困難である。つまり、情報の更新にタイムラグが生じたり、更新漏れが起こったりするおそれがある。
【００１０】
ところで、上記特許文献３に示す装置は、温度、湿度、熱中症リスクなどの、変化する情報を表示するものであるが、装置自体の前後方向の厚さが厚くなるので、前述した掲示プレートのように、上下に位置する係止凹溝に上下縁部を差し込むことができない。そのため、工事現場などにおいて設置するとしても、安全掲示板とは別に設置する必要があるので、安全掲示板の設置スペースに加えて、上記特許文献３に示す装置を設置するために余分な設置スペースが必要となる。
【００１１】
本発明は、余分な設置スペースを必要とすることなく、前記変化する情報を作業者に誤りなく知らせることができる安全掲示板およびそれに用いる変化情報掲示プレートを提供することを目的とする。
【課題を解決するための手段】
【００１２】
請求項１の発明は、横方向に平行に延びる係止凹溝を有する設置枠を備え、上下に位置する係止凹溝の間に掲示プレートが挟まれて取り付けられる安全掲示板であって、前記掲示プレートは、設置環境において変化する情報を表示する変化情報掲示プレートを含み、前記変化情報掲示プレートは、前後方向に一定の厚さを有し前記変化する情報をＬＥＤを用いて表示する表示部を有するプレート本体部と、前記プレート本体部の上下に設けられ前後方向の厚さが前記プレート本体部の厚さより小さく前記設置枠の係止凹溝に嵌まり込む係合板部とを備え、前記プレート本体部は、前記変化する情報を検出する検出手段と、前記検出手段よりの信号を受け前記表示部に前記変化する情報を表示させる表示制御手段とを有することを特徴とする。ここで、安全掲示板に取り付けられる掲示プレートは、単数の場合と複数の場合が含まれる。
【００１３】
このようにすれば、変化情報掲示プレートは、プレート本体部の前後方向における厚さが厚くても、設置枠の、上下の係止凹溝にプレート本体部上下の係合板部をそれぞれ差し込むことで、通常の掲示プレートと同様に、設置枠に取付けられ、安全掲示板の一部を形成するようにできる。よって、安全掲示板の一部として、設置環境において変化する情報を表示する表示部を有する変化情報掲示プレートを設けることができるので、余分な設置スペースを必要とすることなく、前記変化する情報を誤りなく、ほぼリアルタイムで作業者に知らせることができる。
【００１４】
この場合、請求項２に記載のように、前記表示部は、前記変化する情報である、設置環境における気温を表示する温度表示部であり、前記検出手段は、気温を検出する温度センサーであり、前記表示制御手段は、前記温度センサーよりの信号を受け前記温度表示部に前記気温をデジタル表示させるものとしたり、請求項３に記載のように、前記表示部は、前記変化する情報である、設置してからの経過時間あるいは残り作業時間を表示する時間表示部であり、前記検出手段は、時間を計測する時計手段であり、前記表示制御手段は、前記時計手段よりの信号を受け前記時間表示部に前記経過時間あるいは残り作業時間をデジタル表示させるものとしたりすることができる。
【００１５】
また、請求項４に記載のように、前記表示部は、変化する情報である、設置環境における熱中症リスクを表示する熱中症リスク表示部であり、前記検出手段は、時間を計測する時計手段と、気温を検出する温度センサーと、湿度を検出する湿度センサーとであり、さらに、前記時計手段、温度センサーおよび湿度センサーよりの信号を受け、一定時間経過ごとに熱中症指数を演算する指数演算手段と、前記指数演算手段よりの信号を受け、熱中症指数に基づき熱中症リスクを判定する熱中症リスク判定手段とを備え、前記表示制御手段は、前記熱中症リスク判定手段よりの信号を受け、前記熱中症リスク表示部に前記熱中症リスクを表示させるものとすることもできる。
【００１６】
このようにすれば、体感で感知しにくい熱中症リスクを、視覚を通じて作業者に知らせることができる。
【００１７】
この場合、請求項５に記載のように、前記熱中症リスク表示部は、前記熱中症リスクの段階を、ＬＥＤが発光する色によって表示するものであり、前記表示制御手段は、前記熱中症リスクに応じて、ＬＥＤが発光する色を変更するものとすることができる。
【００１８】
このようにすれば、発光するＬＥＤの色によって、熱中症リスクの段階を容易に知ることができる。
【００１９】
請求項６に記載のように、前記プレート本体部は、さらに、アラームと、前記時計手段および前記指数演算手段よりの信号を受け前記一定時間経過ごとに熱中症リスクがある場合に熱中症リスク継続時間として前記一定時間を加算する継続時間カウント手段と、前記継続時間カウント手段よりの信号を受け、熱中症リスク継続時間が設定値以上になったときに前記アラームにより報知するアラーム鳴動手段とを有することも可能である。
【００２０】
このようにすれば、熱中症リスクが高い段階が続いている場合に、アラームにより報知することで、安全掲示板の近くに居る作業者だけでなく、安全掲示板から離れている作業者の注意も速やかに喚起することができる。
【００２１】
そして、請求項７に記載のように、前記係合板部は、前記プレート本体部の前面側において上下に突出するように設けられているようにできる。
【００２２】
このようにすれば、他の掲示プレートの表面とほぼ面一に取り付けることができるので、前側から見た外観を、従来の安全掲示板と変わりないものとすることができる。
【００２３】
また、請求項８に記載のように、前記係合板部は、前記プレート本体部の背面側において上下に突出するように設けられているようにできる。
【００２４】
このようにすれば、設置枠の縦桁などが背面側に位置するような場合であっても、無理なく取り付けられる。
【００２５】
請求項９に記載のように、前記プレート本体部は、外側部分がＦＲＰ製であることが望ましい。
【００２６】
このようにすれば、設置環境において変化する情報を表示する表示部を制御する各種部品を備えていても、可搬性が損なわれることがない。
【００２７】
請求項１０の発明は、横方向に平行に延びる係止凹溝を有する設置枠を備える安全掲示板に用いられ、設置環境において変化する情報を表示する変化情報掲示プレートであって、前後方向に一定の厚さを有しＬＥＤを用いて表示する表示部を有するプレート本体部と、前記プレート本体部の上下に設けられ前後方向の厚さが前記プレート本体部の厚さより小さく前記設置枠の係止凹溝に嵌まり込む係合板部とを備え、前記プレート本体部は、前記変化する情報を検出する検出手段と、前記検出手段よりの信号を受け前記表示部に前記変化する情報を表示させる表示制御手段とを有することを特徴とする。
【００２８】
このようにすれば、設置環境において変化する情報を表示する表示部を有するプレート本体部の前後方向における厚さが厚くても、設置枠に設けられる上下の係止凹溝にプレート本体部の上下の係合板部を差し込むことで、通常の掲示プレートと同様に、設置枠に取付けられる。
【発明の効果】
【００２９】
以上のように、本発明は、表示部を有するプレート本体部の前後方向における厚さが厚くても、設置枠の係止凹溝にプレート本体部の上下の係合板部を差し込むことで、他の掲示プレートと同様に、設置枠に取付け、設置環境において変化する情報を表示する変化情報掲示プレートでもって安全掲示板の一部を形成することができる。よって、安全掲示板の一部として、設置環境において変化する情報を表示する変化情報掲示プレートを設けることができるので、設置のために余分なスペースを必要とすることなく、前記変化する情報を誤りなく、ほぼリアルタイムで作業者に知らせることができる。
【図面の簡単な説明】
【００３０】
【図１】本発明に係る安全掲示板の一実施の形態を示す正面図である。
【図２】前記安全掲示板に用いられる変化情報掲示プレートの正面図である。
【図３】変化情報掲示プレートを、プレート本体部を後方に突出させて取り付けた安全掲示板の一部側面図である。
【図４】同一部背面図である。
【図５】同一部正面図である。
【図６】変化情報掲示プレートのシステム構成図である。
【図７】ＷＢＧＴと、気温、相対湿度との関係を示す図である。
【図８】熱中症リスク判定手段の判定動作を示すフローチャートである。
【図９】表示制御手段による熱中症リスク表示部の表示制御動作を示すフローチャートである。
【図１０】熱中症リスク継続時間カウント手段のカウント動作を示すフローチャートである。
【図１１】アラーム鳴動手段の報知動作を示すフローチャートである。
【図１２】変化情報掲示プレートの他の実施の形態を示す正面図である。
【図１３】安全掲示板の他の実施の形態を示す正面図である。
【図１４】変化情報掲示プレートを、プレート本体部を前方に突出させて取り付けた安全掲示板の側面図である。
【図１５】同背面図である。
【図１６】同正面図である。
【発明を実施するための形態】
【００３１】
以下、本発明に係る一実施の形態を、図面を参照しつつ説明する。
【００３２】
図１は本発明に係る安全掲示板の一実施の形態を示す正面図、図２は前記安全掲示板に用いられる変化情報掲示プレートの正面図である。
【００３３】
図１に示すように、安全掲示板１（安全・衛生掲示板）は、後述する設置枠１１の前側に９枚の掲示プレート（つまり８枚の通常の掲示プレート２と、設置環境において変化する情報を表示する、１枚の変化情報掲示プレート３Ａ）が取り付けられてなるものである。なお、この実施の形態では、９枚の掲示プレート３，３Ａを取り付けるようにしているが、一部は掲示プレートを設けず、空所とする場合もある。また、掲示プレート３，３Ａの大きさや形状に応じて、設置枠１１の大きさや形状は変更される。
【００３４】
変化情報掲示プレート３Ａは、図２に示すように、前後方向に一定の厚さを有する、厚肉のプレート本体部５と、プレート本体部５の上下に設けられる係合板部６，７とを備える。係合板部６は１枚で、係合板部７は２枚としているが、その枚数は特に制限されない。また、可搬性を確保するために、プレート本体部５は、外側部分がＦＲＰ製で、変化情報掲示プレート３Ａの全体重量が１〜１０ｋｇ程度としている。
【００３５】
プレート本体部５の前面側には、前記変化する情報をＬＥＤを用いて表示する表示部として、上側に左右に並んで日付・時刻表示部４Ａ、温度表示部４Ｂおよび熱中症リスク表示部４Ｃが、下側に経過時間表示部４Ｄがそれぞれ設けられている。そして、経過時間表示部４Ｄの横にスピーカー８（内蔵スピーカー）が配置されている。
【００３６】
前記変化する情報として、日付・時刻表示部４Ａは日付と時刻とを交互に表示するものであり、温度表示部４Ｂは設置環境における気温を表示するものであり、熱中症リスク表示部４Ｃは、設置環境における熱中症リスクを表示するものであり、時間表示部４Ｄは設置してからの経過時間を表示するものである。なお、日付・時刻表示部４Ａは、１つの表示窓において、日付と時刻を交互に表示するようにしているが、日付表示と時刻表示とで、別個の表示窓を用い、日付表示部および時刻表示部とすることも可能である。また、時間表示部４Ｄは、設置してからの経過時間に代えて、作業に要する残り作業時間を表示する時間表示部とすることも可能である。この場合は、後述する時計２３よりの信号を受け、時間表示部４Ｄに前記残り作業時間をデジタル表示させることになる。さらに、温度表示部４Ｂは、後述する温度補正手段２９によって補正された気温を表示するようにしているが、温度センサー２１によって検出された気温をそのまま表示するようにしてもよい。
【００３７】
係合板部６，７は、板状で、前後方向の厚さがプレート本体部５の厚さよりも薄く、プレート本体部５の前面側において上下に突出するように設けられている。
【００３８】
そして、例えば図３〜図５に示すように、変化情報掲示プレート３Ａが取り付けられる設置枠１１は、複数の横桁１２が横方向に平行に配置される一方、複数の縦桁１３が、横桁１２の後側で中間板１４を挟んで縦方向に平行に配置されている。横桁１２と縦桁１３との間の中間板１４の部分で、横桁１２，１２に沿ってそれらの上下に係止凹溝１５ａ，１５ｂ，１６ａ，１６ｂが形成される。上側の係止凹溝１２ｂは下向きに、下側の係止凹溝１３ａは上向きにそれぞれ開いており、それらに、掲示プレート３の上下縁部や変化情報掲示プレート３Ａの上下の係合板部６，７をそれぞれ差し込むことで、掲示プレート３，３Ａが取り付けられ、安全掲示板１の一部となる。このように取り付けられた状態では、係合板部６，７は横桁１２，１３によって隠蔽される。
【００３９】
この場合、変化情報掲示プレート３Ａは、プレート本体部５が安全掲示板１の後方に突出するように取り付けられ、他の掲示プレート３と前面（表示面）がほぼ面一になるので、外観上従来の安全掲示板と同様に見え、安全掲示板全体の見栄えは変わらない。
【００４０】
変化情報掲示プレート３Ａを、設置枠１１（安全掲示板１）に取り付けるには、他の通常の掲示プレート３を取り付ける場合と同様に、設置枠１１の前側から、まず、上側の係止板部６を上側の係止凹溝１５ｂに差し込み、上側の横桁１２の後側に位置させる。
【００４１】
次に、その差し込み状態を維持し持ち上げながら、下側の係止板部７を下側の係止凹溝１６ａに差し込み、下側の横桁１２の後側に位置させる。
【００４２】
これにより、変化情報掲示プレート１の上下の係合板部６，７が、上下の係止凹溝１２ａ，１３ａに係合することになり、はずれないように取り付けられる。なお、逆に、下側の係止板部７の差し込み作業をしてから上側の係止板部６の差し込み作業をしてもよい。
【００４３】
続いて、変化情報掲示プレート３Ａ（プレート本体部５）が備える制御システムの構成について、図６に沿って説明する。
【００４４】
プレート本体部５は、前側から見える日付・時刻表示部４Ａ、温度表示部４Ｂ、熱中症リスク表示部４Ｃ、経過時間表示部４Ｄ、内蔵スピーカー８のほか、温度センサー２１、湿度センサー２２、時計２３、内部記憶装置２４を備える。内部記憶装置２４には、アラームとして利用される音声データ２４ａが格納されている。
【００４５】
また、プレート本体部５は、表示制御手段２５、アラーム鳴動手段２６、熱中症リスク判定手段２７、熱中症リスク継続時間カウント手段２８および温度値補正手段１９を備えている。なお、表示制御手段２５は、日付・時刻表示部４Ａ、温度表示部４Ｂ、熱中症リスク表示部４Ｃおよび経過時間表示部４Ｄの表示を制御するものである。
【００４６】
熱中症リスク判定手段２７は、温度センサー２１からの信号により温度情報、湿度センサー２２からの信号により相対湿度情報をそれぞれ取得し、それらに基づいて、図７に示すマップからＷＢＧＴ値を算出し、その算出結果に基づき熱中症リスクを４段階で判定するものである。つまり、表１に示すように、ＷＢＧＴ値が２５℃未満の場合は「注意」、２５〜２８℃の場合は「警戒」、２８〜３１℃の場合は「厳重警戒」、３１℃以上の場合は「危険」という判定がなされる。
【００４７】
【表１】
0006678993.tif 000002
なお、表１は日本生気象学会「日常生活における熱中症予防指針Ver.3」(2013)より引用した。
【００４８】
熱中症リスク判定手段２７の判定動作を、図８に沿って説明する。
【００４９】
まず、温度センサー２１，湿度センサー２２からの信号により温度情報および相対湿度情報を読み込む（Ｓ１１）．それから、温度センサー２２の設置状況によって温度（気温）を補正する必要がある場合があることから、作業者が操作部（図示せず）を通じて温度補正手段２９で設定した内容に応じて、温度情報が補正され（Ｓ１２）、補正温度情報とされる。
【００５０】
次に、相対湿度情報と補正温度情報に基づいて、ＷＢＧＴ値を算出する（Ｓ１３）。ＷＢＧＴ値は、図７に示されるＷＢＧＴ値と、気温、相対湿度との関係を示すマップに基づいて算出する。なお、図７は日本生気象学会「日常生活における熱中症予防指針Ver.3」(2013)より引用した。
【００５１】
次に、算出したＷＢＧＴ値に応じて、熱中症リスクの判定を行い（Ｓ１４）、終了する。熱中症リスクは、表１に示される温度基準（ＷＢＧＴ）の区分に基づいて判定する。
【００５２】
熱中症リスク判定手段２７による熱中症リスクの判定結果が、表示制御手段２５によって、熱中症リスク表示部４Ｃに表示させるという動作を、電源オフになるまで繰り返すものである。これにより、安全掲示板１が設置される環境に応じて時々刻々と変動する熱中症リスクの表示が常時更新され、作業者にリアルタイムで知らさせる。
【００５３】
続いて、図９に沿って、表示制御手段２５による熱中症リスク表示部４Ｃの表示制御について説明する。この制御は、電源をオンすることにより開始し、電源をオフするまで繰り返される。
開始すると、一定時間経過したか否かが判定され（Ｓ２１）、ＹＥＳであれば、熱中症リスク判定手段２７による熱中症リスクの判定結果を取得する（Ｓ２２）。それから、取得された熱中症リスクの判定結果を、熱中症リスク表示部４Ｃにて表示させ（Ｓ２３）、つまり熱中症リスクに段階に対応するＬＥＤを発光させ、ステップＳ２１にリターンする。
【００５４】
一方、ステップＳ２１でＮＯであれば、ステップＳ２１の判定を、ＹＥＳになるまで繰り返す。
【００５５】
これにより、一定時間ごとに熱中症リスクの判定結果が取得され、熱中症リスク表示部４Ｃでの表示が更新され、作業者の記入作業などによることなく、常に新しい熱中症リスクの判定結果が表示される。これにより視覚を通じて作業者の注意が喚起される。
【００５６】
熱中症リスク継続時間カウント手段２８は、熱中症リスク判定手段２７による熱中症リスクの判定結果に基づき、温度基準（ＷＢＧＴ）が、設定レベルである例えば「警戒」レベル以上に達している場合、その一定時間を熱中症リスク継続時間としてカウントする。そして、熱中症リスク継続時間カウント手段１７は、「注意」レベルに戻ると、０にリセットする。なお、「警戒」レベルに代えて「厳重警戒」レベルあるいは「危険」レベルを設定レベルとして用いることも可能である。
【００５７】
熱中症リスク継続時間カウント手段２８のカウント動作を、図１０に沿って説明する。このカウント動作は、電源をオンすることにより開始し、電源をオフするまで継続される。つまり、作業者により設定された時間間隔でＳ３１〜Ｓ３５のステップが繰り返される。
【００５８】
まず、設定時間が経過したか否かが判定され（Ｓ３１）、経過している場合には熱中症リスク判定手段２７により判定された熱中症リスクを取得する（Ｓ３２）。一方、経過していない場合は、経過するまでＳ３１の判定が繰り返される
続いて、取得した熱中症リスクが設定レベル（例えば「警戒レベル」以上に達したか否かを判定し（Ｓ３３）、熱中症リスクが設定レベル以上に達した場合は、前記設置時間を熱中症リスク継続時間に加算する（Ｓ３４）一方、熱中症リスクが設定レベル未満である場合は、熱中症リスクは問題ないと考えられるので、熱中症リスク継続時間を０にリセットし（Ｓ３５）、ステップＳ３１にリターンする。
【００５９】
アラーム鳴動手段２６は、熱中症リスク継続時間カウント手段２８により熱中症リスク継続時間を取得し、その継続時間が、作業者が操作部（図示せず）を通じて設定した目標時間を超えた場合に、スピーカー８を通じて警告用の音声データ２４ａを再生するようになっている。つまり、アラーム鳴動手段２６は、熱中症リスクが高い状態が目標時間を超えて継続した場合に、内部記憶装置２４に記憶されているアラーム（音声データ２４ａ）を鳴動し、アラームによる報知で聴覚を通じて注意を喚起する。
【００６０】
このアラーム鳴動手段２６の報知動作について、図１１に沿って説明する。
【００６１】
まず、熱中症リスク継続時間カウント手段２８から、カウントされた熱中症リスク継続時間を取得し（Ｓ４１）、熱中症リスク継続時間が設定値以上に達したか否かを判定する（Ｓ４２）。
【００６２】
熱中症リスク継続時間が設定値未満である場合は、そのまま終了する。一方、熱中症リスク継続時間が設定値以上に達した場合は、内部記憶装置２４に記憶されている音声データ２４ａ（周囲の人間に警告を促すような音声データ）をスピーカー８を通じて一定時間再生し（Ｓ４３）、熱中症リスクが高まっていることを報知し、終了する。
【００６３】
なお、変化情報掲示プレート５には、外付スピーカー３１を接続可能である（図５参照）。その場合には、アラーム鳴動手段２６は音声データ２４ａを内蔵スピーカー８からのみではなく、必要に応じて、外付スピーカー３１からも再生することが可能である。外付スピーカー３１は、例えば、ＰＡＴＬＩＴＥ社の外付スピーカーを用いることができるが、特にこれに限定されるものではない。
【００６４】
以上で説明した本発明に係る一実施の形態は、本発明を説明するための例示に過ぎず、本発明の要旨を逸脱しない範囲内において、種々変更を加え得ることは可能である。
【００６５】
例えば、各表示部４Ａ〜４Ｄを設ける位置は特に制限されない。例えば図１１に示す変化情報掲示プレート３Ｂのように、上側に表示部分の長さが長くなる日付・時刻表示部４Ａを、下側に温度表示部４Ｂと熱中症リスク表示部４Ｃをそれぞれ配置することもできる。この場合は、日付・時刻表示部４Ａの横にスピーカー８（内蔵スピーカー）を配置している。
【００６６】
図１２に示す変化情報掲示プレート３Ｂは、図２において示した変化情報掲示プレート３Ａと比べて、時間表示部４Ｄおよび「目標時間」や「工事期間」といった、作業者が手書きするスペースを省いて、サイズを小型化している。
【００６７】
そして、図１３に示すように、変化情報掲示プレート３Ｂを、経過時間表示部４Ｄを備える変化情報掲示プレート３Ｃと並んで配置される安全掲示板１Ｂとすることもできる。
【００６８】
また、この安全掲示板１Ｂでは、前述した場合とは異なり、図１４〜図１６に示すように、係合板部６，７は、プレート本体部５の背面側において上下に突出するように設けられている。よって、取付状態では、安全掲示板１Ｂの前方に対しパネル本体部３Ｂを突き出している。
【００６９】
このような構造は、プレート本体部５を安全掲示板１Ｂの後方に突出させたくない場合に有効である。例えば、変化情報掲示プレート３Ｃの背面側に、設置枠の縦桁１３が存在しており、プレート本体部５を安全掲示板の後方に突出させることができない場合などが該当する。
【００７０】
また、前述した実施の形態においては、熱中症リスク表示部４Ｃが、複数のＬＥＤを有し、表示制御手段２５が、熱中症リスクに応じて、いずれかのＬＥＤを発光させることで、発光する色を変更するようにしているが、１つのＬＥＤだけを有し、表示制御手段が、熱中症リスクに応じて、ＬＥＤが発光する色を変更させるようにすることも可能である。
【符号の説明】
【００７１】
１  安全掲示板
２  掲示プレート
３，３Ａ，３Ｂ  変化情報掲示プレート
４Ａ  日・時刻表示部
４Ｂ  温度表示部
４Ｃ  熱中症リスク表示部
４Ｄ  時間表示部
５  プレート本体部
６，７  係合板部
８  スピーカー
１１  設置枠
１２  横桁
１３  縦桁
１４  中間板
１５ａ，１５ｂ，１６ａ，１６ｂ  係止凹溝
２１  温度センサー
２２  湿度センサー
２３  時計
２４  内部記憶装置
２４ａ  音声データ
２５  表示制御手段
２６  アラーム鳴動手段
２７  熱中症リスク判定手段
２８  熱中症リスク継続時間カウント手段
２９  温度補正手段
【図１】
0006678993.tif 000003
【図２】
0006678993.tif 000004
【図３】
0006678993.tif 000005
【図４】
0006678993.tif 000006
【図５】
0006678993.tif 000007
【図６】
0006678993.tif 000008
【図７】
0006678993.tif 000009
【図８】
0006678993.tif 000010
【図９】
0006678993.tif 000011
【図１０】
0006678993.tif 000012
【図１１】
0006678993.tif 000013
【図１２】
0006678993.tif 000014
【図１３】
0006678993.tif 000015
【図１４】
0006678993.tif 000016
【図１５】
0006678993.tif 000017
【図１６】
0006678993.tif 000018